(57)【要約】      （修正有）【課題】照明器具の本体ケースを固定ブラケットに堅固に固定できる建設機械用照明器具の固定構造を提供する。【解決手段】建設機械用照明器具の固定構造は、両側面中央の所定部にそれぞれ形成されたヒンジ孔２２２及び、そのヒンジ孔と所定間隔を置いて離間して形成される固定孔２２４によって４点で支持される本体ケース２０８と；本体ケースに形成されたヒンジ孔及び固定孔に対応して両側面に形成される貫通孔２３２及び長孔の位置調節孔２３６によって、本体ケースを掘削機などの建設機械のループパネルに固定する固定ブラケット２２６と；本体ケースのヒンジ孔と固定ブラケットの貫通孔に挿設されて本体ケースを固定ブラケットに回動可能に結合するヒンジボルト２４２を備える結合ノブ２４０と；本体ケースの固定孔及び固定ブラケットの位置調節孔に挿設されて固定ブラケットに対して本体ケースを照射角度調節可能に固定する固定ボルト２５０とを有する。【選択図】図４
0003150358.tif 000002
【実用新案登録請求の範囲】
【請求項１】
両側面中央の所定部にそれぞれ形成されたヒンジ孔及び、前記ヒンジ孔と所定間隔を置いて離間して形成される固定孔によって４点で支持される本体ケースと；
前記本体ケースに形成されたヒンジ孔及び固定孔に対応して両側面に形成される貫通孔及び長孔の位置調節孔によって、前記本体ケースを掘削機などの建設機械のループパネルに固定する固定ブラケットと；
前記本体ケースのヒンジ孔と前記固定ブラケットの貫通孔に挿設されて前記本体ケースを前記固定ブラケットに回動可能に結合するヒンジボルトを有する結合ノブと；
前記本体ケースの固定孔及び固定ブラケットの位置調節孔に挿設されて前記固定ブラケットに対して前記本体ケースを照射角度調節可能に固定する固定ボルトと；
を備える、建設機械用照明器具の固定構造。
【請求項２】
前記本体ケースの外部面には空気との接触面積を増加させるための複数の放熱板が形成される、請求項１に記載の建設機械用照明器具の固定構造。
【請求項３】
前記本体ケースは熱伝導率が高いアルミニウム材質からなる、請求項１に記載の建設機械用照明器具の固定構造。
【請求項４】
建設機械のループパネルに固定される前記固定ブラケットは、中央支持部と；
前記中央支持部の両端から湾曲状に延びて前記本体ケースの両側に密着固定され、前記本体ケースのヒンジ孔と対応して形成された貫通孔を含む側面支持部と；
前記側面支持部の下部に形成され、前記位置調節孔を含む位置調節部とを有する、請求項１に記載の建設機械用照明器具の固定構造。
【請求項５】
前記位置調節孔は円周の１／４長さに切開された円弧状に形成される、請求項１に記載の建設機械用照明器具の固定構造。
【請求項６】
前記本体ケースは前記位置調節孔及び固定ボルトによって前記固定ブラケットに対して９０度の範囲内で照射角度を変化させることができるように固定される、請求項１に記載の建設機械用照明器具の固定構造。
【請求項７】
前記結合ノブに形成されたいずれか一つの外周溝に密着された状態で固定ブラケットの結合孔に締結することによって、結合ノブの任意回転や離脱を防止する締結ねじをさらに備える、請求項１に記載の建設機械用照明器具の固定構造。
【請求項８】
前記固定ブラケットは前記本体ケースを内部に位置させて固定させるためにＵ字状になる、請求項１に記載の建設機械用照明器具の固定構造。
【請求項９】
前記放熱板は空気流れと一致するように前記本体ケースの下面から背面まで延びる、請求項２に記載の建設機械用照明器具の固定構造。
【請求項１０】
前記固定ブラケットは、その中央支持部の中央に付着され、ループパネルに結合するために外周縁に雄ねじが形成される結合棒と；
前記雄ねじに螺合されるナットと；を有する、請求項４に記載の建設機械用照明器具の固定構造。
【考案の詳細な説明】
【技術分野】
【０００１】
本考案は、建設機械用照明器具の固定構造に関する。より詳細には、位置調節孔を固定ブラケットの側面に形成して照射範囲を増加させ、複数のヒンジと複数の位置調節孔を通じて本体ケースを４点で支持することによって、位置調節後にも本体ケースを堅固に固定でき、ヒンジボルトの任意回転を防止するようにヒンジボルトに締結ねじを螺合させて照明器具の本体ケースを固定ブラケットに堅固に固定できる建設機械用照明器具の固定構造に関する。
【背景技術】
【０００２】
周知のように、通常車両は、夜間走行及びトンネル走行のように暗い所を走行する時、運転手の前方視野を確保するためにヘッドランプアセンブリーを有する。ヘッドランプアセンブリーは、メーンハウジング及び透明カバーからなったランプチャンバーと、レンズ及び反射鏡からなってランプチャンバー内に設けられたサブハウジングと、サブハウジング内に装着されるヘッドランプユニットとから構成される。
【０００３】
また、ヘッドランプユニットは、光源であるバルブとバルブを支持するバルブアダプターとからなる。バルブとしては、温度放射方式のハロゲンバルブとルミネッセンス（ｌｕｍｉｎｅｓｃｅｎｃｅ）方式のうちの一つであるガス放電バルブを主に使用する。
【０００４】
ハロゲンバルブは、ガス放電バルブに比べて光束（ｌｕｍｉｎｏｕｓ  ｆｌｕｘ）が小さくて暗いが安価である。そのため、中低価格型車種に主に使用される。一方、ガス放電バルブは、高価であるがハロゲンバルブに比べて光束が大きいためはるかに明るい。そのため高価型車種に主に使用されている。
【０００５】
一方、最近では光源としてＬＥＤランプを利用する建設機械用ヘッドランプに関する研究が活発に進行されている。特に、ＬＥＤの場合は半導体の特性により処理速度、電力消耗、寿命などの諸般特性が優れて各種電子製品の電子表示部品として広く使用されている。最近は高い輝度の製品が開発されて未来の先端照明用光源として脚光を浴びている。
【０００６】
すなわちＬＥＤランプは、既存の電球に比べて低い電力消費量により高効率の光源であり、ＬＥＤソケットはそれ自体で多様な色相を提供できるので、既存のグラス細工、コーティング、フィルターを利用して表現した色相照明に比べて演色性が非常に優れる。そして、ＬＥＤランプは耐久性が優れるので、既存の建設機械用ヘッドランプの維持費用、すなわち入替え費用を節減できる効果がある。
【０００７】
図１は、従来の技術による照明器具が掘削機などの建設機械に設けられた状態を示す斜視図である。この図面を参照すれば、前述したＬＥＤランプは通常輝度が非常に高く、耐久性に優れるので、劣悪な作業環境の建設現場で主に使用する掘削機２やジープなどのオフロード車両（不図示）に適用する場合が多い。
【０００８】
図１は掘削機２を示す斜視図で、掘削機２のループパネル４の上面に照明器具６が設けられている。この照明器具６は、六面体のケース８により外形が構成され、ケース８の下面中央にはループパネル４に固定される固定棒１０が設けられており、固定棒１０の下段には結合ボルト１２が形成されている。
【０００９】
この時、従来の照明器具６は、ループパネル４の上面に移動不可能に固定された構造を有する。しかし、ループパネル４の上面に設けられた照明器具６の照射角度が一定であるため、掘削機２を利用して作業しようとする現場位置によって照明器具６の照射角度を可変できない短所がある。
【００１０】
すなわち、掘削機２を利用して地面を掘削する作業を行う場合や、壁面掘削作業を行う場合は、相違なる照射角度を有しなければ、照明器具６としての役割を効果的に行うことができない。しかし、ループパネル４の上面に設けられた照明器具６の照射角度を可変できない場合、作業領域を正しく照らすことができない問題がある。
【００１１】
これを解決するために、図２及び図３に示す照明器具の固定構造が開発されている。図２は、従来技術による建設機械用照明器具の固定構造に関する他の例を示す分解斜視図である。図３は、図２の建設機械用照明器具の固定構造を利用して照射角度を可変できる範囲を示す側面図である。
【００１２】
これらの図面を参照して、従来の他の実施形態に係る建設機械用照明器具の固定構造を説明する。従来の建設機械用照明器具１０６は複数のＬＥＤランプ（不図示）を内蔵している本体ケース１０８を備え、本体ケース１０８の両側面にはそれぞれ結合孔１１２が形成されており、その前面には前面カバー１１０が装着されている。また、本体ケース１０８の背面下側にはネジ棒１１４が形成されている。
【００１３】
一方、前述した本体ケース１０８を掘削機２のループパネル４に固定させ、その照射角度調節のための固定ブラケット１２０をさらに備える。固定ブラケット１２０は本体ケース１０８の下部から所定間隔を置いて離間した状態で建設機械のループパネル４に固定される中央支持部１２２と、この中央支持部１２２の両側から湾曲状に延びて本体ケース１０８の側面に密着される側面支持部１２４を有する。側面支持部１２４は本体ケース１０８の結合孔１１２と対応するヒンジ孔１２６が形成されている。
【００１４】
また、中央支持部１２２の中央の所定部には通孔１２８が形成されており、中央支持部１２２の背面（掘削機の前方側から後方側をみた時の裏面）の中央部には、中央支持部１２２から上方に一定の円弧状を有して湾曲状に延びる位置に調節リーブ１３０が形成される。位置調節リーブ１３０は長手方向に延びる長孔の位置調節孔１４２を備える。
【００１５】
また、固定ボルト１３２を中央支持部１２２の中央に形成された通孔１２８に挿入した状態で、ボルトのネジ部に座金１３４を外嵌してナット１３６で固定させて本体ケース１０８をループパネル４（図１参照）の上面に固定する。
【００１６】
一方、本体ケース１０８に形成された結合孔１１２と側面支持部１２４に形成されたヒンジ孔１２６を一致させた後、座金１４０を締めた状態でヒンジ孔１２６を通過したヒンジボルト１３８を順次に結合孔１１２に螺合して、本体ケース１０８を固定ブラケット１２０に回動可能にヒンジ結合させる。
【００１７】
その状態で、本体ケース１０８に形成されたネジ棒１１４を固定ブラケット１２０の位置調節リーブ１３０に形成された位置調節孔１３２に結合し、そのネジ棒１１４に結合ノブ１４１を結合すると、本体ケース１０８は掘削機のループパネル４に固定された固定ブラケット１２０に対して回動可能になるので、その本体ケース１０８の内部に構成されたＬＥＤランプ（不図示）の照射角度を図３に示すように所定範囲内で調節できる。
【考案の概要】
【考案が解決しようとする課題】
【００１８】
しかし、前述した構成を有する従来の建設機械用照明器具の固定構造において、本体ケース１０８の照射角度の変位は位置調節孔１３２の長さに相応する範囲に限定されるため、実質的に照射角度の変位は図３に示すように、１０度ないし１２度に過ぎないという問題がある。
【００１９】
また、従来の建設機械用照明器具の固定構造においては、本体ケース１０８の両側面及び背面中央部に形成されたネジ棒１１４を利用した３点支持方式であるため、固定ブラケット１２０に対して本体ケース１０８を堅固に固定することが難しい問題がある。すなわち、劣悪な作業環境で掘削機２が移動しながら作業する場合、結合ノブ１４１は単一地点だけを１ケ所で固定する構造を有するため、結合ノブ１４１が緩んで望むランプの照明機能を行うことができない問題が頻繁に発生する。
【００２０】
一方、従来の建設機械用照明器具は環境が劣悪な所で作業する建設機械に主に固定して使用するため、建設機械の特性上振動が激しくて地盤工事が行われない工事現場で作業する。そのため、車体の振動によって本体ケース１０８に形成された結合孔１１２からヒンジボルト１３８が離脱して照明器具の照射角度が任意に変更される問題がある。
【００２１】
そこで、本考案は上記課題に鑑みてなされたものであり、本考案の目的とするところは、
位置調節孔を固定ブラケットの側面に形成して照射範囲を増加させ、複数のヒンジと複数の位置調節孔を通じて本体ケースを４点で支持することによって、位置調節後にも本体ケースを堅固に固定でき、ヒンジボルトの任意回転を防止するようにヒンジボルトに締結ねじを螺合させて照明器具の本体ケースを固定ブラケットに堅固に固定できる建設機械用照明器具の固定構造を提供することにある。
【課題を解決するための手段】
【００２２】
上記課題を解決するために、本考案のある観点によれば、本体ケースに内蔵された複数のＬＥＤランプと；前記ＬＥＤランプを駆動するための部品及びソケットが装着されたランプ用ＰＣＢと；前記ＬＥＤランプの前面に結合されて照射光を一定角度で反射させるコリメートレンズと；前記コリメートレンズの前面に設けられてホコリや汚物の流入を遮断してＬＥＤランプを保護する保護板と；前記保護板の前面に配設されて前記本体ケースの前面に結合されるカバーと；前記カバーと本体ケースとの間に介装されるパッキングと；からなった照明器具において、照明器具に必要な各部品を内蔵し、その両側面中央の所定部にそれぞれ形成されたヒンジ孔及び、そのヒンジ孔と所定間隔を置いて離間して形成される固定孔によって４点で支持される本体ケースと；前記本体ケースに形成されたヒンジ孔及び固定孔に対応して両側面に形成される貫通孔及び長孔の位置調節孔によって、前記本体ケースを掘削機などの建設機械のループパネルに固定する固定ブラケットと；前記本体ケースのヒンジ孔と前記固定ブラケットの貫通孔に挿設されて前記本体ケースを前記固定ブラケットに回動可能に結合するヒンジボルトを備える結合ノブと；前記本体ケースの固定孔及び固定ブラケットの位置調節孔に挿設されて前記固定ブラケットに対して前記本体ケースを照射角度調節可能に固定する固定ボルトを含む建設機械用照明器具の固定構造が提供される。
【００２３】
ここで、前記本体ケースの外部面には空気との接触面積を増加させるための複数の放熱板が形成されてもよい。
【００２４】
また、前記本体ケースは熱伝導率が高いアルミニウム材質からなってもよい。
【００２５】
また、建設機械のループパネルに固定される前記固定ブラケットは中央支持部と；前記中央支持部の両端から湾曲状に延びて前記本体ケースの両側に密着固定され、前記本体ケースのヒンジ孔と対応して形成された貫通孔を有する側面支持部と；前記側面支持部の下部に形成され、前記位置調節孔を含む位置調節部を有してもよい。
【００２６】
また、前記位置調節孔は円周の１／４長さに切開された円弧状に形成されてもよい。
【００２７】
また、前記本体ケースは、前記位置調節孔及び固定ボルトによって前記固定ブラケットに対して９０度の範囲内で照射角度を変化させることができるように固定されてもよい。
【００２８】
また、前記結合ノブに形成されたいずれか一つの外周溝に密着された状態で固定ブラケットの結合孔に締結することによって、結合ノブの任意回転や離脱を防止する締結ねじをさらに有してもよい。
【００２９】
また前記固定ブラケットは、前記本体ケースを内部に位置させて固定させるためにＵ字状であってよい。
【００３０】
また、前記放熱板は空気流れと一致するように前記本体ケースの下面から背面まで延びてもよい。
【００３１】
また、前記固定ブラケットは、その中央支持部の中央に付着され、ループパネルに結合するために外周縁に雄ねじが形成される結合棒と；前記雄ねじに螺合されるナットを有してもよい。
【００３２】
また、前記本体ケースは、複数のＬＥＤランプと、前記ＬＥＤランプを駆動するための部品及びソケットが装着されたランプ用ＰＣＢと、前記ＬＥＤランプの前面に結合されて照射光を一定角度で反射させるコリメートレンズと、前記コリメートレンズの前面に設けられてホコリや汚物の流入を遮断してＬＥＤランプを保護する保護板とを内臓し、前記保護板２２０の前面に配設されるカバーとパッキングを介して結合されるものであってもよい。
【考案の効果】
【００３３】
以上説明したように本考案によれば、位置調節孔が形成された位置調節部が側面支持部の後方に延びて形成されており、位置調節部が固定ブラケットの両側にそれぞれ形成されているので、従来より大きい角度で照射範囲を拡大して調節でき、複数の位置調節孔を通じて本体ケースを固定ブラケットに固定できる４点支持方式を利用することによって、堅固な固定が可能である。また、締結ねじを結合ノブに形成されたいずれか一つの外周溝に係合させることによって、ヒンジボルトが任意に回転して離脱したり本体ケースの照射角度が任意に変更することを防止できる。
【図面の簡単な説明】
【００３４】
【図１】従来技術による照明器具が建設機械に固定された状態を示す斜視図である。
【図２】従来技術による他の建設機械用照明器具の固定構造を示す分解斜視図である。
【図３】図２の建設機械用照明器具の固定構造を利用した照射範囲を示す側面図である。
【図４】本考案の一実施形態に係る建設機械用照明器具の固定構造を示す分解斜視図である。
【図５】本考案の一実施形態に係る建設機械用照明器具の固定構造を示す斜視図である。
【図６】図５の建設機械用照明器具の固定構造を示す側面図である。
【考案を実施するための形態】
【００３５】
以下に、添付した図面を参照しながら、本考案の好適な実施形態について詳細に説明する。なお、本明細書および図面において、実質的に同一の機能を有する構成要素については、同一の符号を付することにより重複説明を省略する。
【００３６】
図３は、図２の建設機械用照明器具の固定構造を利用した照射範囲を示す側面図であり、図４は、本考案の一実施形態に係る建設機械用照明器具の固定構造を示す分解斜視図であり、図５は、本考案の一実施形態に係る建設機械用照明器具の固定構造を示す斜視図であり、図６は、図５の建設機械用照明器具の固定構造を示す側面図である。
【００３７】
これらの図面を参照すれば、本考案の一実施形態に係る建設機械用照明器具の固定構造は位置調節孔をブラケットの側面に形成することによって、ランプの照射範囲を増加させることができるようにする。また、複数のヒンジと複数の位置調節孔を利用して本体ケースを４点で支持することによって、位置調節後にも本体ケースを堅固に固定できるようにする。そして、ヒンジボルトの任意の回転を防止するために、ヒンジボルトを固定させる固定ねじを結合させて照明器具の本体ケースをブラケットに堅固に固定できるようにする。
【００３８】
このために、本考案の一実施形態に係る建設機械用照明器具の固定構造は上部が開放された六面体状を有する照明器具２０６の本体ケース２０８を備える。本体ケース２０８には複数のＬＥＤランプ２１６と、ＬＥＤランプ２１６を駆動するための部品及びソケットなどが装着されたランプ用ＰＣＢ２１４が内蔵される。そして、ＬＥＤランプ２１６の前面には照射光を一定角度で反射させるコリメートレンズ２１８が結合され、コリメートレンズ２１８の前面にはホコリや汚物からＬＥＤランプ２１６を保護するための保護板２２０が設けられる。
【００３９】
また、本体ケース２０８の前面に設けられる保護板２２０の前面にはカバー２１０が配設され、カバー２１０と本体ケース２０８との間にはパッキング２１２が介装される。
【００４０】
この時、照明に必要な各部品を複数の機構を内装する本体ケース２０８は、その両側面の中央部に結合ノブ２４０に形成されたヒンジボルト２４２が締結されるヒンジ孔２２２が形成されており、このヒンジ孔２２２と所定間隔をおいて離間した位置には固定ボルト２５０が結合される固定孔２２４が形成されている。したがって、本体ケース２０８を４点で支持するようになる。
【００４１】
一方、本体ケース２０８を掘削機などの建設機械のループパネル４に固定するための固定ブラケット２２６は、本体ケース２０８に形成されたヒンジ孔２２２及び固定孔２２４に対応する貫通孔２３２及び長孔の位置調節孔２３６がそれぞれ形成されている。固定ブラケット２２６は、本体ケース２０８を内部に位置させて固定させるためにＵ字状になっている。
【００４２】
また、本体ケース２０８は外部面の所定部に複数の放熱板２２５が形成されていて、空気との接触面積を増加させるようになっている。本体ケース２０８は熱伝導率が高いアルミニウム材質で構成され、放熱板２２５は空気の流れと一致するように本体ケース２０８の下面から背面まで延びている。
【００４３】
一方、本考案の一実施形態に係る照明器具の固定構造は、固定ブラケット２２６に対して本体ケース２０８をヒンジ結合させるための結合ノブ２４０と、固定ブラケット２２６の位置調節孔２３６を通じて本体ケース２０８を一定の照射角度で固定ブラケット２２６に固定させるための固定ボルト２５０を備える。
【００４４】
この時、結合ノブ２４０は前端にヒンジボルト２４２が形成されており、このヒンジボルト２４２の外周縁には複数の雄ねじが形成されている。
また、本体ケース２０８に形成されたヒンジ孔２２２と固定孔２２４は、それぞれの内周縁に雌ねじが形成されており、結合ノブ２４０と固定ボルト２５０は、それぞれの外周縁に雄ねじが形成されている。
【００４５】
一方、固定ブラケット２２６は建設機械のループパネル４に固定される中央支持部２２８と、中央支持部２２８の両端から湾曲状に延びて本体ケース２０８の両側に密着固定され、本体ケース２０８のヒンジ孔２２２と対応して形成された貫通孔２３２を有する側面支持部２３０と、側面支持部２３０の下部に形成され、その中央の所定部に位置調節孔２３６が形成された位置調節部２３４を備える。
【００４６】
この時、位置調節孔２３６は円弧状に形成されていて、本体ケース２０８の回転時、固定ボルト２５０が結合される本体ケース２０８の固定孔２２４に対する本体ケース２０８の移動変位に対応できる。この時、位置調節孔２３６を通じて本体ケース２０８が回転できる照射角の範囲は９０度である。
【００４７】
すなわち、本考案の一実施形態に係る照明器具の固定構造に形成された位置調節孔２３６は結合ノブ２４０を中心に円弧状に切開されており、本体ケース２０８の設置角度を正面と直下方向に調節できるように円周の１／４長さに切開された円弧状に形成されている。したがって、位置調節孔２３６の最上部に固定ボルト２５０が結合されていると、本体ケース２０８は正面に向かって照射するようになり、位置調節孔２３６の最下部に固定ボルト２５０が結合されていると、本体ケース２０８は直下方向に向かって照射するようになる。
【００４８】
特に、本考案は建設機械に備えられた照明器具の固定構造に係るものであるので、作業位置が建設機械の前方底面に位置する場合もあり、建設機械の前方壁面に位置する場合もある。そのため、本体ケース２０８の角度調節範囲が大きいほど作業が容易になる。
【００４９】
また、中央支持部２２８をループパネル４に固定するための結合棒２３８及びナット２３８ｂをさらに備える。結合棒２３８は中央支持部２２８の中央一側面に固定され、外周縁にはナット２３８ｂが螺合される雄ねじ２３８aが形成されている。
【００５０】
一方、従来の建設機械の照明器具は車体の振動によって、または劣悪な作業環境の地面を走行することにより、結合ノブ２４０が緩む恐れがある。したがって、本考案の一実施形態に係る建設機械用照明器具の固定構造では、結合ノブ２４０に形成されたいずれか一つの外周溝２４０aに係合されて結合ノブ２４０が緩むことを防止するための締結ねじ２６０を採用する。この締結ねじ２６０は側面支持部２３０に形成された結合孔２３０aに螺合された状態で結合ノブ２４０の外周溝２４０aに係合される。
【００５１】
したがって、結合ノブ２４０を利用して本体ケース２０８をヒンジ結合した後に、締結ねじ２６０を結合ノブ２４０のいずれか一つの外周溝２４０aに外嵌して側面支持部２３０に形成された結合孔２３０aに締結ねじ２６０を螺合させると、結合ノブ２４０の回転を阻止する。
【００５２】
次に、添付した図面を参照して、前述した構成を有する本考案の一実施形態に係る建設機械用照明器具の固定構造に対する機能及び作用を詳細に説明する。
【００５３】
まず、建設機械用照明器具２０６を掘削機などの建設機械のループパネル４に固定するために、固定ブラケット２２６の側面支持部２３０に形成された貫通孔２３２と本体ケース２０８の両側面にそれぞれ形成されたヒンジ孔２２２を一致させる。この状態で、結合ノブ２４０のネジ部２４２を貫通孔２３２に貫通させた後、ヒンジ孔２２２に螺合させる。したがって、結合ノブ２４０の前端に形成されたネジ部２４２により本体ケース２０８は固定ブラケット２２６に対してヒンジ結合可能に装着される。それによって、本体ケース２０８は固定ブラケット２２６の結合ノブ２４０を中心に所定の角度範囲で回動できるようになる。
【００５４】
この時、結合ノブ２４０の前端に形成されたネジ部２４２の巻き取りを阻止するためにネジ部２４２には座金２７８を締めた状態で結合する。また、結合ノブ２４０はその中央にはレンチ孔２４６が形成されていて、レンチにより結合ノブ２４０を回転できるように構成することも可能である。
【００５５】
この状態で、固定ブラケット２２６の中央一側面に形成された結合棒２３８とナット２３８ｂを利用して固定ブラケット２２６をループパネル４の上面に結合させる。したがって、本考案の一実施形態に係る建設機械用照明器具２０６は建設機械のループパネル４に堅固に固定される。
【００５６】
この時、結合ノブ２４０をより堅固に固定されるようにするために、締結ねじ２６０を結合ノブ２４０のいずれか一つの外周溝２４０aに外嵌して側面支持部２３０に形成された結合孔２３０aにその締結ねじ２６０を螺合させれば、結合ノブ２４０が緩まなくなる。
【００５７】
そして、作業者が建設機械用照明器具２０６の照射範囲を調節できる。すなわち、位置調節孔２３６を通過して固定孔２２４に結合された固定ボルト２５０を緩めると、固定ブラケット２２６に対して本体ケース２０８を回転可能な状態で維持しながら、ユーザーは角度調節バー２６２を把持した状態で本体ケース２０８を固定ブラケット２２６に対して一定角度で回転させることができる。
【００５８】
固定ブラケット２２６に対して本体ケース２０８を望む角度で位置させた後に、固定ボルト２５０を固定孔２２４に締結する。これによって、固定ボルト２５０は位置調節孔２３６を通じて固定孔２２４に堅固に締結されると共に、固定ブラケット２２６に対して本体ケース２０８を一定の角度で固定させることができる。
【００５９】
この時、位置調節孔２３６は円周の１／４に該当する長さの円弧状になっているので、本体ケース２０８が固定ブラケット２２６に対してほぼ９０度の角度で回転できるようになる。すなわち、本体ケース２０８の前面に構成されたＬＥＤランプ２１６は正面と直下方向に向かう調節角度の範囲内で自由に調節することが可能である。特に、建設機械の作業環境では照射角度が大きい調節範囲を有することが作業時に有利であるので、本考案の位置実施形態に係る位置調節孔２３６はその切開長さが長いためにより一層有利である。
【００６０】
次に、ＬＥＤランプ２１６を点灯させると、そのＬＥＤランプ２１６が一定の照射角度を有しながら掘削機２の前方を照射することができる。この時、本考案の一実施形態に係る建設機械用照明器具２０６は位置調節孔２３６が形成された位置調節部２３４が側面支持部２３０の後方に延設されている。このように、位置調節部２３４が固定ブラケット２２６の両側にそれぞれ形成されており、位置調節部２３４には長孔の位置調節孔２３６が形成されているので、従来より一層大きい角度範囲でランプで照射して作業能率を高めることができる。また、複数の位置調節孔２３６を通じて本体ケース２０８を固定ブラケット２２６に固定して４点で支持することによって、堅固な固定が可能である。
【００６１】
以上、添付図面を参照しながら本考案の好適な実施形態について詳細に説明したが、本考案は係る例に限定されない。本考案の属する技術の分野における通常の知識を有する者であれば、実用新案登録請求の範囲に記載された技術的思想の範疇内において、各種の変更例または修正例に想到し得ることは明らかである。そうした変更例についても、当然に本考案の技術的範囲に属するものと了解される。
【符号の説明】
【００６２】
２０６    照明器具
２０８    本体ケース
２２６    固定ブラケット
２２８    中央支持部
２３０    側面支持部
２３４    位置調節部
２３６    位置調節孔
２４０    結合ノブ
２５０    固定ボルト
２６０    締結ねじ
【図１】
0003150358.tif 000003
【図２】
0003150358.tif 000004
【図３】
0003150358.tif 000005
【図４】
0003150358.tif 000006
【図５】
0003150358.tif 000007
【図６】
0003150358.tif 000008